(57)【要約】【課題】  災害等の有事が発生した場合に有用な機能を有する写真撮影装置等を提供する。【解決手段】  写真撮影装置２は、全国瞬時警報システム（Ｊアラート）や地方自治体のＬアラート等の災害情報（緊急警報）を受信すると、通常モードから災害モードに切り替える。災害モードでは、無料での写真撮影・印刷、及び無料の通信スポットとして写真撮影装置２を提供する。災害モードにおいて、写真撮影装置２は予め記憶されている災害時専用テンプレートを使用して災害時に役立つ形式で写真を生成し、印刷する。【選択図】図６
2020052615.tif 000002
【特許請求の範囲】
【請求項１】
撮影室内の被撮影者を撮影する撮影手段と、撮影した画像を写真としてプリントする印刷手段とを備えた写真撮影装置であって、
災害発生の情報を取得する情報取得手段と、
前記災害発生の情報を取得すると、通常モードから災害モードに切り替えるモード切替手段と、
前記災害モードにおいて、前記撮影手段による撮影及び前記印刷手段による印刷を無課金で実行する災害時制御手段と、
を備えることを特徴とする写真撮影装置。
【請求項２】
前記災害時制御手段は、
前記撮影手段により撮影した画像を予め記憶されている災害時専用テンプレートに割付け、印刷することを特徴とする請求項１に記載の写真撮影装置。
【請求項３】
被撮影者による情報の入力を受け付ける入力手段を更に備え、
前記災害時制御手段は、前記入力手段により入力された情報を前記撮影した画像とともに印刷するよう制御することを特徴とする請求項１または請求項２のいずれかに記載の写真撮影装置。
【請求項４】
複数の避難場所の情報をデータベースから取得し選択可能に表示する表示手段と、
前記複数の避難場所の中から被撮影者が避難している避難場所の選択を受け付ける選択手段と、を備え、
前記災害時制御手段は、前記選択手段により選択された避難場所の情報を前記撮影した画像とともに印刷するよう制御することを特徴とする請求項１から請求項３のいずれかに記載の写真撮影装置。
【請求項５】
前記災害時制御手段は、前記写真の撮影日時情報を前記撮影した画像とともに印刷するよう制御することを特徴とする請求項１から請求項４のいずれかに記載の写真撮影装置。
【請求項６】
ネットワークに通信接続する第１通信手段と、
ユーザ端末と通信接続する第２通信手段と、を備え、
前記災害モードにおいて、前記第２通信手段を介して通信接続した前記ユーザ端末が前記第１通信手段を介してネットワークへ通信接続可能とする災害時通信制御手段を備えることを特徴とする請求項１から請求項５のいずれかに記載の写真撮影装置。
【請求項７】
前記災害時通信制御手段は、
前記第２通信手段を介して通信接続したユーザ端末に対して、周辺避難場所の情報または災害情報を送信し、表示させることを特徴とする請求項６に記載の写真撮影装置。
【請求項８】
前記第２通信手段を介して通信接続したユーザ端末から画像を受信する受信手段を更に備え、
前記災害時制御手段は、前記受信手段により受信した画像を前記撮影手段により撮影した画像とともに印刷するよう制御することを特徴とする請求項６に記載の写真撮影装置。
【請求項９】
前記第１通信手段を介してネットワーク上にアップロードされた画像をダウンロードするダウンロード手段を更に備え、
前記災害時制御手段は、前記ダウンロード手段によりダウンロードした画像を前記撮影手段により撮影した画像とともに印刷するよう制御することを特徴とする請求項６に記載の写真撮影装置。
【請求項１０】
前記第１通信手段または前記第２通信手段を介して画像を取得する画像取得手段と、
前記画像取得手段により取得した画像から撮影日時情報及び撮影場所情報を取得する情報取得手段と、を備え、
前記災害時制御手段は、前記画像取得手段により取得した画像を前記情報取得手段により取得した撮影日時情報及び撮影場所情報とともに印刷するよう制御することを特徴とする請求項６に記載の写真撮影装置。
【請求項１１】
撮影室内の被撮影者を撮影する撮影手段と、撮影した画像を写真としてプリントする印刷手段とを備えた写真撮影装置を利用した災害支援方法であって、
前記写真撮影装置が、
災害発生の情報を取得するステップと、
前記災害発生の情報を取得すると、通常モードから災害モードに切り替えるステップと、
前記災害モードにおいて、前記撮影手段による撮影及び前記印刷手段による印刷を無課金で実行するステップと、
を含むことを特徴とする災害支援方法。
【請求項１２】
撮影室内の被撮影者を撮影する撮影手段と、撮影した画像を写真としてプリントする印刷手段とを備えた写真撮影装置を制御するコンピュータを、
災害発生の情報を取得する情報取得手段、
前記災害発生の情報を取得すると、通常モードから災害モードに切り替えるモード切替手段、
前記災害モードにおいて、前記撮影手段による撮影及び前記印刷手段による印刷を無課金で実行する災害時制御手段、
として機能させることを特徴とするプログラム。
【発明の詳細な説明】
【技術分野】
【０００１】
本発明は、写真撮影装置、災害支援方法、及びプログラムに係り、詳細には、有事における写真撮影装置の活用に関する。
【背景技術】
【０００２】
地震等の自然災害が発生しやすい本国では、災害に強い街づくりに向けて様々な対策が進められている。例えば、飲み物等の自動販売機は、地震などの災害発生時に通信ネットワーク技術を活用した遠隔操作によって、自動販売機に搭載された電光掲示板に災害情報を流したり、本体に残っている飲料を無償で提供したりしている（非特許文献１）。
【０００３】
ところで、撮影ボックス内の被写体を撮影し、撮影した画像を証明写真として印刷する証明写真撮影装置が知られている（特許文献１）。このような写真撮影装置は、駅や店舗等、街中に設置され利用者が気軽に利用できるようになっている。近年では、非特許文献１に示すように証明写真撮影装置がネットワーク通信機能を備え、スマートフォンで撮影した写真をサーバ経由で証明写真撮影装置に取り込み、プリントできるプリントシステムが提供されている（非特許文献２）。
【先行技術文献】
【特許文献】
【０００４】
【特許文献１】特開２００７−２４１７９３号公報
【非特許文献】
【０００５】
【非特許文献１】日本コカ・コーラ株式会社、“災害支援型自動販売機”、［online］、［平成30年9月10日検索］、インターネット〈URL：https://www.cocacola.co.jp/vending-machine/emergency-support〉
【０００６】
【非特許文献２】株式会社ＤＮＰフォトイメージングジャパン、“スマホから写真 100円Piプリ(ピプリ)”、［online］、［平成30年9月10日検索］、インターネット〈URL：https://www.dnpphoto.jp/products/pipuri/〉
【発明の概要】
【発明が解決しようとする課題】
【０００７】
しかしながら、災害時にスマートフォン等の通信デバイスを持たずに身一つで避難した場合には、家族の安否確認をしたり自身の安否を知らせたりすることが非常に困難となる。そのような場合、避難所等に設けられた掲示板等に自身の安否情報や顔写真等を掲示して周知することが考えられるが、そのためには顔写真を用意する必要がある。また、仮に通信デバイスを持っていたとしても、回線の混雑やトラブルにより、円滑に通信を行うことが難しい状況が想定され、情報の取得が容易でないことがある。
【０００８】
本発明は上記の問題に鑑みてなされたものであり、災害等の有事が発生した場合に有用な機能を有する写真撮影装置等を提供することを目的とする。
【課題を解決するための手段】
【０００９】
前述した課題を解決するため第１の発明は、撮影室内の被撮影者を撮影する撮影手段と、撮影した画像を写真としてプリントする印刷手段とを備えた写真撮影装置であって、災害発生の情報を取得する情報取得手段と、前記災害発生の情報を取得すると、通常モードから災害モードに切り替えるモード切替手段と、前記災害モードにおいて、前記撮影手段による撮影及び前記印刷手段による印刷を無課金で実行する災害時制御手段と、を備えることを特徴とする写真撮影装置である。
【００１０】
第１の発明によれば、撮影室内の被撮影者を撮影し、写真としてプリントする写真撮影装置は、災害発生の情報を取得すると、通常モードから災害モードに切り替え、災害モードにおいて撮影及び印刷を無課金で実行する。これにより、被災者が身一つで避難した場合であっても、写真を無料で入手し、避難所等に設けられた掲示板等に自身の顔写真を掲示して安否を周知することが可能となる。写真撮影装置を災害支援に有効に活用することが可能となる。
【００１１】
第1の発明において、前記災害時制御手段は、前記撮影手段により撮影した画像を予め記憶されている災害時専用テンプレートに割付け、印刷する。これにより、災害時に役立つ形式で写真を生成し、印刷することが可能となり、写真撮影装置を災害支援に有効に活用することが可能となる。
【００１２】
また、被撮影者による情報の入力を受け付ける入力手段を更に備え、前記災害時制御手段は、前記入力手段により入力された情報を前記撮影した画像とともに印刷するよう制御することが望ましい。これにより、被撮影者が入力した名前や安否情報等を撮影した画像とともに印刷することが可能となる。
【００１３】
更に、複数の避難場所の情報をデータベースから取得し選択可能に表示する表示手段と、前記複数の避難場所の中から被撮影者が避難している避難場所の選択を受け付ける選択手段と、を備え、前記災害時制御手段は、前記選択手段により選択された避難場所の情報を前記撮影した画像とともに印刷するよう制御することが望ましい。これにより、被災者は避難場所を選択入力し、撮影した画像とともに印刷することが可能となる。
【００１４】
また、前記災害時制御手段は、前記写真の撮影日時情報を前記撮影した画像とともに印刷するよう制御することが望ましい。これにより、撮影日時情報が撮影した画像に付加されて印刷される。
【００１５】
また、第1の発明において、ネットワークに通信接続する第１通信手段と、ユーザ端末と通信接続する第２通信手段と、を備え、前記災害モードにおいて、前記第２通信手段を介して通信接続した前記ユーザ端末が前記第１通信手段を介してネットワークへ通信接続可能とする災害時通信制御手段を備えることが望ましい。これにより、被災者のユーザ端末は写真撮影装置をアクセスポイントとしてネットワーク接続を行うことが可能となる。ユーザ端末は災害発生時に混雑しやすい携帯電話回線を避けてネットワークに接続できる。また回線契約のないタブレット等からも写真撮影装置をアクセスポイントとしてネットワークに接続可能となる。
【００１６】
また、前記災害時通信制御手段は、前記第２通信手段を介して通信接続したユーザ端末に対して、周辺避難場所の情報または災害情報を送信し、表示させることが望ましい。これにより災害時に必要な情報を写真撮影装置からユーザ端末に送信できる。
【００１７】
また、前記第２通信手段を介して通信接続したユーザ端末から画像を受信する受信手段を更に備え、前記災害時制御手段は、前記受信手段により受信した画像を前記撮影手段により撮影した画像とともに印刷するよう制御することが望ましい。これにより、被撮影者本人の画像（撮影した画像）ととともにユーザ端末から受信した画像を印刷することが可能となる。
【００１８】
また、前記第１通信手段を介してネットワーク上にアップロードされた画像をダウンロードするダウンロード手段を更に備え、前記災害時制御手段は、前記ダウンロード手段によりダウンロードした画像を前記撮影手段により撮影した画像とともに印刷するよう制御することが望ましい。これにより、被撮影者本人の画像（撮影した画像）ととともに、ネットワーク上にアップロードされている画像をダウンロードして印刷することが可能となる。例えば、被災者のＳＮＳアカウントや画像サイトにアップロードした画像等を写真撮影装置でダウンロードして、被撮影者本人の画像（撮影した画像）とともに印刷することも可能となる。
【００１９】
また、前記第１通信手段または前記第２通信手段を介して画像を取得する画像取得手段と、前記画像取得手段により取得した画像から撮影日時情報及び撮影場所情報を取得する情報取得手段と、を備え、前記災害時制御手段は、前記画像取得手段により取得した画像を前記情報取得手段により取得した撮影日時情報及び撮影場所情報とともに印刷するよう制御することが望ましい。これにより、ユーザ端末に保存されている画像や、ネットワーク上にアップロードされている画像を取得し、更に、画像から撮影日時情報及び撮影場所情報を抽出して画像とともに印刷することが可能となる。例えば、罹災証明の申請等に使用するために、ユーザ端末で撮影した家屋等の写真を被害状況等の記録として撮影日時及び撮影場所の情報とともに残すことが可能となる。
【００２０】
第２の発明は、撮影室内の被撮影者を撮影する撮影手段と、撮影した画像を写真としてプリントする印刷手段とを備えた写真撮影装置を利用した災害支援方法であって、前記写真撮影装置が、災害発生の情報を取得するステップと、前記災害発生の情報を取得すると、通常モードから災害モードに切り替えるステップと、前記災害モードにおいて、前記撮影手段による撮影及び前記印刷手段による印刷を無課金で実行するステップと、を含むことを特徴とする災害支援方法である。
【００２１】
第２の発明によれば、撮影室内の被撮影者を撮影し、写真としてプリントする写真撮影装置は、災害発生の情報を取得すると、通常モードから災害モードに切り替え、災害モードにおいて撮影及び印刷を無課金で実行する。これにより、身一つで避難した場合であっても写真を無料で入手し、避難所等に設けられた掲示板等に自身の顔写真を掲示して安否を周知することが可能となる。写真撮影装置を災害支援に有効に活用することが可能となる。
【００２２】
第３の発明は、撮影室内の被撮影者を撮影する撮影手段と、撮影した画像を写真としてプリントする印刷手段とを備えた写真撮影装置を制御するコンピュータを、災害発生の情報を取得する情報取得手段、前記災害発生の情報を取得すると、通常モードから災害モードに切り替えるモード切替手段、前記災害モードにおいて、前記撮影手段による撮影及び前記印刷手段による印刷を無課金で実行する災害時制御手段、として機能させることを特徴とするプログラムである。
【００２３】
第３の発明により、撮影室内の被撮影者を撮影する撮影手段と、撮影した画像を写真としてプリントする印刷手段とを備えた写真撮影装置を制御するコンピュータを、第１の写真撮影装置の制御装置として機能させることが可能となる。
【発明の効果】
【００２４】
本発明により、災害等の有事が発生した場合に有用な機能を有する写真撮影装置を提供することが可能となる。
【図面の簡単な説明】
【００２５】
【図１】災害支援システム１を示す図
【図２】写真撮影装置２の外観を示す図
【図３】写真撮影装置２のハードウェア構成を示す図
【図４】制御装置２０の内部構成を示す図
【図５】ユーザ端末５のハードウェア構成を示す図
【図６】写真撮影装置２におけるモード切替処理の流れを示すフローチャート
【図７】災害モードにおいて写真撮影装置２が実行する処理の流れを示すフローチャート
【図８】災害モードにおいて写真撮影装置２が実行する災害時通信制御処理の流れを示すフローチャート
【図９】災害モード（災害時通信制御処理）において写真撮影装置２に近づいたユーザ端末５の画面遷移を示す図
【図１０】写真撮影装置２のトップ画面８０の例を示す図
【図１１】入力フォーム８５の例を示す図
【図１２】（ａ）災害モードにおいて作成される印刷物９１（「本人撮影」）の例を示す図、（ｂ）情報欄９３の例
【図１３】トップ画面８０において「本人とダウンロード画像」が選択された場合の処理の流れを示すフローチャート
【図１４】災害モードにおいて作成される印刷物９５（「本人とダウンロード画像」）の例を示す図
【図１５】トップ画面８０において「罹災証明用写真印刷」が選択された場合の処理の流れを示すフローチャート
【図１６】災害モードにおいて作成される印刷物９８（「罹災証明用写真印刷」）の例を示す図
【発明を実施するための形態】
【００２６】
以下、図面に基づいて本発明の好適な実施形態について詳細に説明する。
【００２７】
図１は本発明の実施形態に係る災害支援システム１を示す図である。図１に示すように、本実施形態の災害支援システム１は、写真撮影装置２、ユーザ端末５、災害情報配信端末６、及び避難場所データベース４を備えて構成される。写真撮影装置２とユーザ端末５は、Wi-Fi（登録商標）等の無線ＬＡＮまたはBluetooth（登録商標）等の近距離無線通信（以下、第２通信部２７）により通信接続される。写真撮影装置２、災害情報配信端末６、及び避難場所データベース４はインターネット等の広域なネットワーク３を介して通信接続される。
【００２８】
写真撮影装置２はカメラ（撮影部２３）及びプリンタ２５を備えた装置であり、例えば街頭に設置された証明写真の撮影ボックス等である。写真撮影装置２は撮影室内の被写体（ユーザ）を撮影してその画像を証明写真としてプリントする機能（写真撮影サービス）や、ユーザ端末５から受信した画像をプリントしたり、ユーザが予めユーザ端末５からサーバ（不図示）にアップロードした画像をダウンロードしてプリントする機能（画像プリントサービス）を有する。また本発明において、写真撮影装置２は、災害時に災害モードに切り替わり、（１）無料で撮影・写真プリントを行う機能や（２）無料かつ認証不要でユーザ端末５に通信環境を提供する機能を備える。災害モードにおける各機能については後述する。
【００２９】
図２は写真撮影装置２の外観を示す図であり、図３は写真撮影装置２のハードウェア構成を示す図である。
【００３０】
写真撮影装置２はユーザが中に入って撮影を行うボックス状の外観を有し、制御装置２０、表示部２１、課金部２２、撮影部２３、照明部２４、プリンタ２５、第１通信部２６、第２通信部２７、入室センサ２８、カーテン３０、プリント物取出口３１等を有する。
【００３１】
制御装置２０は写真撮影装置２の内部に設けられ、写真撮影装置２の処理全体を制御する。
【００３２】
図４は制御装置２０のハードウェア構成を示す図である。図４に示すように、制御装置２０は、例えば制御部２０１、記憶部２０２、入力部２０３、通信制御部２０４等をバス等により接続して構成したコンピュータにより実現できる。但しこれに限ることなく、適宜様々な構成をとることができる。
【００３３】
制御部２０１はＣＰＵ（Central Processing Unit）、ＲＯＭ（Read Only Memory）、ＲＡＭ（Random Access Memory）等から構成される。ＣＰＵは、記憶部２０２、ＲＯＭ等の記憶媒体に格納された制御装置２０の処理に係るプログラムをＲＡＭ上のワークエリアに呼び出して実行する。ＲＯＭは不揮発性メモリであり、ブートプログラムやＢＩＯＳ等のプログラム、データ等を恒久的に保持している。ＲＡＭは揮発性メモリであり、記憶部２０２、ＲＯＭ等からロードしたプログラムやデータを一時的に保持するとともに、制御部２０１が各種処理を行うために使用するワークエリアを備える。
【００３４】
記憶部２０２はハードディスクドライブやソリッドステートドライブ、フラッシュメモリ等であり、後述する処理に際し制御装置２０が実行するプログラム、プログラム実行に必要なデータ、ＯＳ等が格納される。これらのプログラムやデータは、制御部２０１により必要に応じて読み出され実行される。
【００３５】
入力部２０３は制御装置２０に各種の入力を行うものである。
通信制御部２０４は、第１通信部２６によるネットワーク３を介した通信、及び第２通信部２７（Wi-Fi、Bluetooth（登録商標）等）によるユーザ端末５との通信を制御する。
【００３６】
図２、３の説明に戻る。表示部２１は、写真撮影装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００３７】
課金部２２は、硬貨や紙幣の投入口、つり銭返却口、レシート取出口、レシートプリンタ等（不図示）を備え、ユーザからの課金やレシートの発行を管理する。
【００３８】
撮影部２３は、撮影窓の内側にカメラ等を設けたものである。カメラには例えば高解像度のデジタルカメラが用いられるが、これに限ることはない。
【００３９】
照明部２４は、ユーザを含む写真撮影装置２内の全体を照らす照明である。照明部２４は例えば白色の光を照射する面光源であり、撮影部２３の上部に設けられるが、これに限ることはない。なお、写真撮影装置２内には撮影時のフラッシュ用にストロボ光源も設けられる。
【００４０】
プリンタ２５は、画像をプリントする装置であり、写真撮影装置２の内部に設けられる。画像等をプリントした印刷物はプリント物取出口３１から排出される。プリンタ２５の方式や設置台数等は特に問わない。
【００４１】
第１通信部２６は、ネットワーク３を介した通信を媒介する通信インターフェースであり、災害情報配信端末６や避難場所データベース４、その他のコンピュータ（ＷＥＢサーバ）等との間の通信を可能とする。ネットワーク３は、ＬＡＮ（Local Area Network）や、より広域に通信接続されたＷＡＮ（Wide
Area Network）、またはインターネット等の公衆の通信回線等を含む。
【００４２】
第２通信部２７は、ユーザ端末５との通信を媒介する通信インターフェースであり、無線ＬＡＮ（Wi-Fi）アクセスポイント、またはBluetooth（登録商標）等の近距離無線通信等を含む。ユーザ端末５が第２通信部２７の通信圏内に入ると、写真撮影装置２とユーザ端末５とは通信接続可能な状態となる。本発明では、第２通信部２７は、後述する災害モードにおいて認証不要かつ無料で利用可能とされるが、通常モードにおいてはユーザが画像ダウンロードサービス（課金制）を利用する場合にのみ利用可能とする。
【００４３】
入室センサ２８は、写真撮影装置２の撮影室内に入ったユーザ（被撮影者）を検知するセンサである。入室センサ２８は例えば赤外線センサであるが、これに限ることはない。
バス２９は、各装置間の制御信号、データ信号等の授受を媒介する経路である。
【００４４】
カーテン３０は、写真撮影装置２の内部を外部から遮るものである。
【００４５】
図１の説明に戻る。災害情報配信端末６は、災害発生時に警報や災害情報、避難情報等を送信するシステムであり全国瞬時警報システム（通称「J-ALERT」または「Ｊアラート」）や、地方自治体等が情報を一斉配信する公開基板（Ｌアラート）等の情報配信システム、或いは、各地に配置されている写真撮影装置２を管理するサーバ等である。全国瞬時警報システム（以下、Ｊアラート）は、通信衛星と市町村の同報系防災行政無線や有線放送電話を利用し、緊急情報を住民へ瞬時に伝達する仕組みである。Ｌアラートは、地方自治体やライフライン／交通関連事業者等の情報発信者が放送事業者、携帯事業者、ポータル事業者、新聞社等の情報伝達者を通じて災害情報等を一斉配信する仕組みである。
【００４６】
避難場所データベース４は、各自治体の避難場所の情報（名称、所在地等）を集約したデータベースであり、ネットワーク３を介して避難場所情報を提供する。写真撮影装置２は、例えば１日１回等の所定の頻度で避難場所データベース４にアクセスし、最新の避難場所情報を取得して写真撮影装置２内の記憶部２０２に記憶する。また、災害発生時には、写真撮影装置２は適時避難場所データベース４にアクセスし、最新の避難場所情報を取得する。なお、通信量を減らすために、写真撮影装置２は、前回取得した避難場所情報との差分を取得することが望ましい。また、災害発生時には、避難場所データベース４と通信できない場合も想定される。その場合には管理者が写真撮影装置２を直接操作して制御装置２０の記憶部２０２に既に記憶されている避難場所情報を更新してもよい。
【００４７】
図１の説明に戻る。ユーザ端末５はユーザが所持するコンピュータ端末であり、例えばスマートフォン、タブレット、ゲーム機等の携帯通信デバイスを用いることができる。ただし、写真撮影装置２の第２通信部２７との通信（Wi-FiやBluetooth（登録商標））に対応可能な通信制御部５５を有するユーザ端末５に限る。
【００４８】
図５はユーザ端末５のハードウェア構成を示す図である。図５に示すように、ユーザ端末５は制御部５１、記憶部５２、表示部５３、入力部５４、通信制御部５５、カメラ５６、音声入出力部５７等をバス等により接続して構成される。但し、これに限ることなく、適宜様々な構成をとることができる。
【００４９】
制御部５１、記憶部５２、入力部５４、通信制御部５５の機能は前記した制御部２０１、記憶部２０２、入力部２０３、通信制御部２０４と略同様である。また表示部５３は液晶パネル等のディスプレイ装置を有し、入力部５４としてのタッチパネルが設けられている。音声入出力部５７はマイクやスピーカー等である。
【００５０】
次に、本実施形態の災害支援システム１が実行する処理の流れについて説明する。図６は、写真撮影装置２におけるモード切替処理の流れを示すフローチャートである。
【００５１】
写真撮影装置２は、災害情報配信端末６からの災害情報（緊急警報）の配信の有無を常に監視している。災害情報（緊急警報）が配信されていない状態では（ステップＳ１０１；Ｎｏ）、写真撮影装置２は、通常モードの処理を行っている（ステップＳ１０５）。通常モードでは、例えば、有料での写真撮影サービス（写真撮影及び印刷）や、有料での画像プリントサービス（ダウンロード画像等の印刷）が提供される。
【００５２】
災害情報配信端末６から災害情報（緊急警報）を受信すると（ステップＳ１０１；Ｙｅｓ）、写真撮影装置２の制御装置２０は、写真撮影装置２を通常モードから災害モードに切り替える（ステップＳ１０３）。ステップＳ１０３において、制御装置２０は、災害情報の内容や緊急レベルを判断し、災害情報の内容が予め定めた内容に含まれるか、或いは緊急レベルが所定のレベル以上である場合に、災害モードに切り替えるようにすることが望ましい。また、災害発生時には混雑やトラブル等により一時的にネットワーク３を介した通信が困難な状況も想定されるため、災害モードへの切替えを写真撮影装置２の管理者が手動で行ってもよい。
【００５３】
災害モードにおいて、写真撮影装置２は、（１）無料で撮影・写真プリントを行う機能や（２）無料かつ認証不要でユーザ端末５に通信環境を提供する機能を提供する。これらの災害モードにおける動作については後述する。
【００５４】
その後、警報が解除されるか、災害発生から所定の時間が経過した場合は（ステップＳ１０４；Ｙｅｓ）、制御装置２０は災害モードを解除し（ステップＳ１０５）、通常モードへ戻す（ステップＳ１０２）。なお、災害モードの解除は、管理者が手動で行ってもよいし、写真撮影装置２の通信インターフェース（第１通信部２６または第２通信部２７）を利用して管理者により遠隔操作で行ってもよい。
【００５５】
次に、図７〜図１６を参照して、災害モードにおいて写真撮影装置２が実行する処理について説明する。
【００５６】
図７に示すように、災害モードに切り替えられると、写真撮影装置２の制御装置２０は、まず、災害時通信制御処理を実行する（ステップＳ２０１）。
【００５７】
図８は、災害時通信制御処置の流れを示すフローチャートである。以下の説明では、第２通信部２７がWi-Fi（無線ＬＡＮ）である場合について説明する。写真撮影装置２が災害モードに切り替えられると、図８に示すように、制御装置２０は、まず、第２通信部２７から災害時に利用される統一ＳＳＩＤ「０００００ＪＡＰＡＮ」を発信する。もしくは、写真撮影装置２の管理者等が独自に制定した統一ＳＳＩＤを発信する。これにより、写真撮影装置２の第２通信部２７が認証不要かつ無料の無線ＬＡＮアクセスポイントとして開放される（ステップＳ３０１）。写真撮影装置２の第２通信部２７の通信圏内に入ったユーザ端末５は写真撮影装置２と第２通信部２７により通信接続し、写真撮影装置２のネットワーク接続機能（第１通信部２６による通信接続）を利用することが可能となる（ステップＳ３０２）。これにより、ユーザ端末５は、インターネット接続を写真撮影装置２の第１通信部２６を介して行うことが可能となる（ステップＳ３０３）。ユーザ端末５が回線契約していないタブレットや携帯電話等であっても、Wi-Fi（第２通信部２７の通信）対応可能なものであれば、ネットワーク３へ接続できる。また、電話回線の混雑を回避して通信を行うことができる。
【００５８】
図９は、災害モード（災害時通信制御処理）において写真撮影装置２に近づいたユーザ端末５の画面遷移を示す図である。図９（ａ）に示すように、災害モードでは、ユーザ端末５が写真撮影装置２に近づくと写真撮影装置２の第２通信部２７（Wi-Fi）の通信圏内に入るため、認証不要で写真撮影装置２と通信接続可能な状態となる。ユーザがユーザ端末５のインターネットブラウザのアイコンをタッチ操作等してインターネット接続を指示すると、ユーザ端末５は写真撮影装置２の第１通信部２６を介してネットワーク３に接続できる。
【００５９】
このようにしてユーザ端末５からインターネットへの接続操作があると（ステップＳ３０４；Ｙｅｓ）、写真撮影装置２の制御装置２０は該ユーザ端末５に対して利用開始メニュー画面７０を送信する（ステップＳ３０５）。ユーザ端末５は利用開始メニュー画面７０を受信し（ステップＳ３０６）、表示部５３に表示する（ステップＳ３０７）。
【００６０】
図９（ｂ）はユーザ端末５に表示される利用開始メニュー画面７０の例を示す図である。図９（ｂ）に示すように、利用開始メニュー画面７０には、言語を選択する言語選択欄７１、避難場所、津波情報、火災情報等の各情報メニュー７２、７３、７４、利用規約への同意確認欄７５、利用開始ボタン７６等が表示される。ユーザにより言語が選択され、利用規約への同意が確認され、利用開始ボタン７６がタッチされると、ユーザ端末５は写真撮影装置２の第１通信部２６を介したネットワーク通信接続を行う。なお、言語選択欄７１が日本語から外国語（英語、中国語、韓国語、その他の言語）に切り替えられると、利用開始メニュー画面７０の表記やその後の処理も選択された言語での表記となる。
【００６１】
利用開始メニュー画面７０において、避難場所メニュー７２、津波情報メニュー７３、火災情報メニュー７４のうちいずれかのメニューが選択されると（ステップＳ３０８）、写真撮影装置２は選択されたメニューに応じた処理を行う（ステップＳ３０９）。例えば、避難場所メニュー７２が選択されると、写真撮影装置２はネットワーク３を介して避難場所データベース４から最新の避難場所情報を取得し、ユーザ端末５に送信する。ユーザ端末５は、受信した情報を表示部５３に表示する（ステップＳ３１０）。図９（ｃ）は避難場所情報の表示例を示す図である。図９（ｃ）に示すように、ユーザ端末５は、取得した避難場所情報に基づいて、地図７７上に近隣の避難場所７８をマークして表示する。津波情報メニュー７３が選択された場合は、写真撮影装置２は、所定の情報配信先から津波情報を取得し、ユーザ端末５に送信する。火災情報メニュー７４が選択された場合も同様に、写真撮影装置２は、所定の情報配信先から周辺の火災情報を取得し、ユーザ端末５に送信する。ユーザ端末５は、津波が予測される地域や火災が発生している場所等を地図７７上に示す。
【００６２】
このようにして、ユーザ端末５は、無料かつ認証不要で写真撮影装置２と通信接続し、写真撮影装置２のネットワーク通信機能（第１通信部２６）を利用できる。回線契約がないユーザ端末５であってもインターネット接続を行うことが可能となる。
【００６３】
図７の説明に戻る。
災害モードにおいて、写真撮影装置２の制御装置２０は、入室センサ２８によりユーザの入室を検知すると（ステップＳ２０２）、トップ画面８０を表示部２１に表示する（ステップＳ２０３）。
【００６４】
図１０はトップ画面８０の例である。図１０に示すように、トップ画面８０では、災害モードで印刷できる写真の種類を選択可能に表示する。災害モードで印刷できる写真は、ここでは、「本人撮影」写真８１、「本人とダウンロード画像」写真８２、「罹災証明用写真（印刷）」８３があるものとする。
【００６５】
トップ画面８０において、ユーザにより「本人撮影」写真８１が選択されると（ステップＳ２０４；本人撮影）、写真撮影装置２は、撮影部２３によりユーザの撮影処理を行う（ステップＳ２０５）。なお、通常モードでは写真撮影や写真印刷は有料のサービスであるが、災害モードでは無料で利用可能となっている。
【００６６】
次に、写真撮影装置２の制御装置２０は、避難場所データベース４にアクセスし、最新の避難場所情報を取得する（ステップＳ２０６）。その後、写真撮影装置２の制御装置２０は、表示部２１にユーザの情報等を入力するための入力フォーム８５を表示する（ステップＳ２０７）。
【００６７】
図１１は入力フォーム８５の例を示す図である。図１１に示すように、入力フォーム８５には、ユーザの名前を入力する名前入力欄８５ａ、写真撮影装置２により撮影を行った日時が表示される撮影日時表示欄８５ｂ、ユーザが避難場所を選択する避難場所選択欄８５ｃ、ユーザが自分の健康状態や安否情報等を入力する健康状態入力欄８５ｄ、ユーザの連絡先を入力する連絡先入力欄８５ｅ等が表示される。避難場所選択欄８５ｃには、ステップＳ２０６で取得した避難場所情報（避難場所の名称や所在地）がプルダウンリストの形式で表示される。なお、写真撮影装置２の設置場所との距離が近いものから順に一覧表示するようにしてもよいし、５０音順に表示してもよい。また、入力フォーム８５の入力項目や表示形態は一例であり、この例に限定されない。その他、ユーザやユーザの家族等の安否や所在確認に必要な情報、メッセージ等を自由に入力できるようにしてもよい。
【００６８】
入力フォーム８５にユーザの名前、健康状態、連絡先等が入力され、避難場所が選択されると（ステップＳ２０８）、写真撮影装置２の制御装置２０は、記憶部２０２から「本人撮影」写真８１を作成するためのテンプレートＡを取得する（ステップＳ２０９）。テンプレートＡは、災害時に利用可能な専用テンプレートであり、予め記憶部２０２に記憶されているものとする。制御装置２０は、図１２（ａ）に示すように、取得したテンプレートＡ（図１２（ａ）の９０Ａ）にステップＳ２０５で撮影した画像９２を割付け、ステップＳ２０８で入力された情報を情報欄９３内にレイアウトして「本人撮影」写真８１を作成する（ステップＳ２１０）。写真撮影装置２は、ステップＳ２１０で作成した写真をプリンタ２５により印刷し、プリント物取出口３１から印刷物９１を排出する（ステップＳ２１１）。
【００６９】
図１２（ａ）は、「本人撮影」写真８１として作成、プリントされた印刷物９１の例を示す図である。図１２（ａ）に示すように、印刷物９１は、中央線９４を境に左側領域と右側領域にそれぞれ本人画像９２及び情報欄９３が印刷される。情報欄９３内には、図１２（ｂ）に示すように、被撮影者（ユーザ）の名前、撮影日時、撮影場所、避難場所、健康状態、連絡先等の情報が印刷される。名前、避難場所、健康状態、連絡先は、入力フォーム８５において入力または選択された情報が印刷される。撮影日時は撮影を行った日時の情報が制御装置２０内の計時部（不図示）から取得されて印刷される。撮影場所の情報は、当該写真撮影装置２の設置場所の住所であり、制御装置２０内の記憶部２０２に記憶されている。印刷物９１は、避難場所に設置された掲示板への貼り出しやその他の様々な用途に使えるようマルチ分割（図１２の例では２分割）されていることが望ましいが、分割が無くてもよい。また、災害モードで撮影された画像や入力された情報を写真撮影装置２内に所定期間保存したり、写真撮影装置２から所定の顔画像バンク（不図示）に送信し、保存するようにしてもよい。
【００７０】
トップ画面８０において「本人とダウンロード画像」写真８２が選択された場合（図７のステップＳ２０４；本人とダウンロード画像）は、図１３に示すフローチャートの処理を実行する。
【００７１】
まず写真撮影装置２は、図７のステップＳ２０５〜ステップＳ２０８と同様に、撮影部２３により入室したユーザの撮影を無料で行う（ステップＳ４０１）。次に、写真撮影装置２の制御装置２０は、第１通信部２６を介して避難場所データベース４にアクセスし、最新の避難場所情報を取得する（ステップＳ４０２）。その後、写真撮影装置２の制御装置２０は、ユーザの情報を入力するための入力フォーム８５（図１１）を表示部２１に表示する（ステップＳ４０３）。入力フォーム８５にユーザの名前、健康状態、連絡先等が入力され、避難場所が選択されると（ステップＳ４０４）、次に、写真撮影装置２の制御装置２０は、ステップＳ４０１で撮影した写真とともに印刷する画像の取得先の選択を受け付ける（ステップＳ４０５）。
【００７２】
ステップＳ４０５では、ユーザ端末５に記憶された画像、またはユーザのＳＮＳアカウントやＷＥＢ上の画像サイト等からダウンロードすることができる。ユーザ端末５が選択された場合（ステップＳ４０５；ユーザ端末）、写真撮影装置２は、第２通信部２７（Wi-Fi）を介してユーザ端末５と通信接続し（ステップＳ４０６）、ユーザ端末５内に記憶された画像のうちユーザが選択した画像を受信する（ステップＳ４０７）。
【００７３】
ステップＳ４０５において、ユーザのＳＮＳアカウントやＷＥＢ上の画像サイト等からのダウンロードが選択されると（ステップＳ４０５；ＷＥＢ／ＳＮＳ）、写真撮影装置２は、第１通信部２６を介してＳＮＳまたはＷＥＢ上の画像サイトにアクセスする。ユーザは写真撮影装置２の表示部のタッチパネルを操作してログインに必要な情報を入力し、ＳＮＳまたはＷＥＢ上の画像サイトにログインを行う（ステップＳ４０８）。その後、ユーザはＳＮＳまたはＷＥＢ上の画像サイトにアップロードしてある画像から好きな画像を選択して写真撮影装置２にダウンロード（受信）する（ステップＳ４０９）。
【００７４】
ステップＳ４０８〜ステップＳ４０９において、ユーザ端末５に画像印刷用の専用アプリケーション（"Ｐｉプリ"、https://www.dnpphoto.jp/products/pipuri/）がインストールされている場合は、当該アプリケーションの処理手順に従って画像をダウンロードするようにしてもよい。当該アプリケーションでは、ユーザ端末５で撮影した画像をサーバ（不図示）にアップロードすると、ダウンロード用ＱＲコード（登録商標）が発行されてサーバからユーザ端末５に送信される。ユーザ端末５にＱＲコード（登録商標）を表示して写真撮影装置２のコード読取装置（不図示）に読取らせると、写真撮影装置２はサーバにアップロードされている画像をダウンロードできる。
【００７５】
写真撮影装置２の制御装置２０は、記憶部２０２から「本人とダウンロード画像」の写真を作成するためのテンプレートＢを取得する（ステップＳ４１０）。テンプレートＢは、災害時に利用可能な専用テンプレートであり、予め記憶部２０２に記憶されているものとする。制御装置２０は、図１４に示すように、取得したテンプレートＢ（図１４の９０Ｂ）の左側領域にステップＳ４０１で撮影した画像９２を割付け、右側領域にステップＳ４０７またはステップＳ４０９で受信した画像を割付ける。また、ステップＳ４０４で入力された情報を情報欄９３内にレイアウトして「本人とダウンロード画像」写真８２を作成する（ステップＳ４１１）。写真撮影装置２は、ステップＳ４１１で作成した写真をプリンタ２５により印刷し、プリント物取出口３１から印刷物９５を排出する（ステップＳ４１２）。
【００７６】
図１４は、「本人とダウンロード画像」写真８２として作成、プリントされた印刷物９５の例を示す図である。図１４に示すように、印刷物９５は、左側領域に本人の撮影画像９２、右側領域にダウンロード画像９７が印刷され、また情報欄９３が印刷される。情報欄９３内には、被撮影者（ユーザ）の名前、撮影日時、撮影場所、避難場所、安否連絡等の情報が表示される。名前、避難場所、安否連絡は、入力フォーム８５において入力または選択された情報が表示される。撮影日時は撮影を行った日時の情報が制御装置２０内の計時部（不図示）から取得されて入力される。撮影場所の情報は、当該写真撮影装置２の設置場所の住所であり、制御装置２０内の記憶部２０２に記憶されている。右側領域のダウンロード画像を家族の写真等にすれば、避難場所に設置された掲示板への貼り出しや、様々な用途に使えるようになる。
【００７７】
図７の説明に戻る。トップ画面８０において「罹災証明用写真印刷」８３が選択された場合（図７のステップＳ２０４；罹災証明）は、図１５に示すフローチャートの処理を実行する。
【００７８】
被災者が罹災証明の申請を行う場合、発生した災害と受けた被害との間に因果関係があることが証明できる写真が必要となることがある。例えば、建物等を修繕・補修した場合や、浸水の痕跡を除去した場合、雪が融けて消失した場合、災害の発生から年数が経過している場合等は因果関係の確認ができなくなるため、復旧前の被害状況をできるだけ早く写真等で記録しておく必要がある。写真撮影装置２の「罹災証明用写真印刷」８３では、ユーザ端末５内に保存された画像、またはユーザのＳＮＳアカウントやＷＥＢ上の画像サイト等からダウンロードした画像を罹災証明の申請に使用できる写真として印刷することを可能とする。
【００７９】
まず写真撮影装置２は、印刷する画像の取得先の選択を受け付ける（ステップＳ５０１）。ステップＳ５０１では、ユーザ端末５に記憶された画像、またはユーザのＳＮＳアカウントやＷＥＢ上の画像サイト等からダウンロードすることができる。ユーザ端末５が選択された場合（ステップ５０１；ユーザ端末）、写真撮影装置２は、第２通信部２７（Wi-Fi）を介してユーザ端末５と通信接続し（ステップＳ５０２）、ユーザ端末５内に記憶された画像のうちユーザが選択した画像を受信する（ステップＳ５０３）。
【００８０】
ステップＳ５０１において、ユーザのＳＮＳアカウントやＷＥＢ上の画像サイト等からのダウンロードが選択されると（ステップＳ５０１；ＷＥＢ／ＳＮＳ）、写真撮影装置２は、第１通信部２６を介してＳＮＳまたはＷＥＢ上の画像サイトにアクセスする。ユーザは写真撮影装置２の表示部のタッチパネルを操作してログインに必要な情報を入力し、ＳＮＳまたはＷＥＢ上の画像サイトにログインを行う（ステップＳ５０４）。その後、ユーザはＳＮＳまたはＷＥＢ上の画像サイトにアップロードしてある画像から好きな画像を選択して写真撮影装置２にダウンロード（受信）する（ステップＳ５０５）。ステップＳ５０４〜ステップＳ５０５において、ユーザ端末５に画像印刷用の専用アプリケーション（"Ｐｉプリ"）がインストールされている場合は、上述したように当該アプリケーションの処理手順に従って画像をダウンロードするようにしてもよい。
【００８１】
写真撮影装置２の制御装置２０は、撮影日時情報及び撮影場所情報を画像の付帯情報から取得する（ステップＳ５０６）。また、写真撮影装置２の制御装置２０は、記憶部２０２から罹災証明用写真を作成するためのテンプレートＣを取得する（ステップＳ５０７）。テンプレートＣは、災害時に利用可能な専用テンプレートであり、予め記憶部２０２に記憶されているものとする。制御装置２０は、図１６に示すように、取得したテンプレートＣ（図１６の９０Ｃ）の所定領域（図１６の例では全体）にステップＳ５０３またはステップＳ５０５で受信した画像を割付け、ステップＳ５０６で画像から取得した撮影日時情報及び撮影場所情報を情報欄９９内にレイアウトして罹災証明用写真を作成する（ステップＳ５０８）。写真撮影装置２は、ステップＳ５０８で作成した写真をプリンタ２５により印刷し、プリント物取出口３１から印刷物９８を排出する（ステップＳ５０９）。
【００８２】
図１６は、「罹災証明用写真印刷」８３として作成、プリントされた印刷物９８の例を示す図である。図１６に示すように、印刷物９８には、ユーザ端末５で撮影した画像、またはＳＮＳまたはＷＥＢ上の画像サイトにアップロードした画像が印刷され、画像とともに情報欄９９が印刷される。情報欄９９内には、写真の撮影日時と撮影場所（ＧＰＳ情報）が画像の付帯情報から抽出され、印刷される。
【００８３】
なお、罹災証明書は、被災者が撮影した写真を用いて被害を認定する自己判定方式を採用する自治体もあるが、現地調査を実施する自治体もあり、対応は自治体毎に異なる。
【００８４】
以上のようにして、写真撮影装置２は、災害発生時に災害モードに切り替えて、無料での写真撮影・印刷や無料で通信環境を提供することができる。また、災害時に役立つ形式で写真を生成し、印刷することができる。これにより、被災者が身一つで避難した場合でも安否情報の周知のために写真を撮影・印刷し、掲示板に掲示するといった行動をとることが可能となる。また、被災者が通信端末を持って避難した場合には、写真撮影装置２を無線ＬＡＮの無料アクセスポイントとして利用でき、情報の取得に役立てることができる。このように写真撮影装置２を災害支援に有効に活用することが可能となり、災害に強い街づくりに貢献できる。
【００８５】
なお、上述の実施形態において、各画面の表示や印刷物のレイアウトは一例であり、これに限定されず、任意の形態とすることができる。
【００８６】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８７】
１：災害支援システム
２：写真撮影装置
３：ネットワーク
４：避難場所データベース
５：ユーザ端末
６：災害情報配信端末
２０：制御装置
２１：表示部
２２：課金部
２３：撮影部
２４：照明部
２５：プリンタ
２６：第１通信部
２７：第２通信部
２８：入室センサ
２９：バス
３０：カーテン
３１：プリント物取出口
７０：利用開始メニュー画面
７７：地図
７８：避難場所
８０：トップ画面
８５：入力フォーム
９１、９５、９８：印刷物
９０Ａ：テンプレートＡ
９０Ｂ：テンプレートＢ
９０Ｃ：テンプレートＣ
【図１】
2020052615.tif 000003
【図２】
2020052615.tif 000004
【図３】
2020052615.tif 000005
【図４】
2020052615.tif 000006
【図５】
2020052615.tif 000007
【図６】
2020052615.tif 000008
【図７】
2020052615.tif 000009
【図８】
2020052615.tif 000010
【図９】
2020052615.tif 000011
【図１０】
2020052615.tif 000012
【図１１】
2020052615.tif 000013
【図１２】
2020052615.tif 000014
【図１３】
2020052615.tif 000015
【図１４】
2020052615.tif 000016
【図１５】
2020052615.tif 000017
【図１６】
2020052615.tif 000018